(57)【要約】【課題】迅速に、複数の生物の間の類似度を算出し、分かりやすく表示する。【解決手段】データ処理装置は、第１生物に由来する第１試料と、第２生物に由来する第２試料とにおいて共通に含まれる対象分子が、第１試料および第２試料のそれぞれの質量分析において、同一のｍ／ｚに対応して検出されているかに基づいて、第１生物と第２生物との間の類似度を算出し、３以上の種類の生物から２種類の生物を選択して得られた、複数の組合せについて、それぞれ類似度を算出する類似度算出部と、３以上の種類の生物の間の類似度をマッピングして表示する類似度画像を含む出力画像を生成する出力画像生成部と、出力画像を出力する出力部とを備える。【選択図】図３
2020091783.tif 000002
【特許請求の範囲】
【請求項１】
第１生物に由来する第１試料と、第２生物に由来する第２試料とにおいて共通に含まれる対象分子が、前記第１試料および前記第２試料のそれぞれの質量分析において、前記対象分子の構造から算出されたまたは過去の測定により得られた同一のｍ／ｚに対応して検出されているかに基づいて、前記第１生物と前記第２生物との間の類似度を算出し、
３以上の種類の生物から２種類の生物を選択して得られた、複数の組合せについて、それぞれ前記類似度を算出する類似度算出部と、
前記３以上の種類の生物の間の類似度をマッピングして表示する類似度画像を含む出力画像を生成する出力画像生成部と、
前記出力画像を出力する出力部と
を備えるデータ処理装置。
【請求項２】
請求項１に記載のデータ処理装置において、
前記類似度算出部は、前記対象分子の少なくとも一つが、一種類の前記対象分子に対応する複数のｍ／ｚのいずれに対応して検出されているかに基づいて、前記第１生物と前記第２生物との間の類似度を算出するデータ処理装置。
【請求項３】
請求項１または２に記載のデータ処理装置において、
前記出力画像生成部は、前記類似度の値に応じて前記類似度に対応する部分の色相、明度および彩度の少なくとも一つが異なる前記類似度画像を生成するデータ処理装置。
【請求項４】
請求項１から３までのいずれか一項に記載のデータ処理装置において、
前記出力画像生成部は、前記類似度画像と、前記類似度算出部による前記類似度の算出とは異なる方法で算出された前記３以上の種類の生物の間の類似度についての情報とを含む前記出力画像を生成するデータ処理装置。
【請求項５】
請求項４に記載のデータ処理装置において、
前記情報は、前記３以上の種類の生物の系統樹であるデータ処理装置。
【請求項６】
請求項４または５に記載のデータ処理装置において、
前記対象分子はタンパク質であり、
前記異なる方法で算出された類似度は、前記タンパク質に対応する核酸の塩基配列の相同性に基づいて算出された類似度であるデータ処理装置。
【請求項７】
請求項１から５までのいずれか一項に記載のデータ処理装置において、
前記対象分子は、糖鎖、脂質、タンパク質または核酸であるデータ処理装置。
【請求項８】
請求項７に記載のデータ処理装置において、
前記対象分子はタンパク質または核酸であり、
前記類似度算出部は、前記質量分析において、前記対象分子のアミノ酸配列または塩基配列に基づいて導出された同一のｍ／ｚに対応して前記対象分子が検出されているかに基づいて、前記第１生物と前記第２生物との間の類似度を算出するデータ処理装置。
【請求項９】
請求項１から８までのいずれか一項に記載のデータ処理装置と、
質量分析計とを備える分析装置。
【請求項１０】
第１生物に由来する第１試料と、第２生物に由来する第２試料とにおいて共通に含まれる対象分子が、前記第１試料および前記第２試料のそれぞれの質量分析において、前記対象分子の構造から算出されたまたは過去の測定により得られた同一のｍ／ｚに対応して検出されているかに基づいて、前記第１生物と前記第２生物との間の類似度を算出し、
３以上の種類の生物から２種類の生物を選択して得られた、複数の組合せについて、それぞれ前記類似度を算出することと、
前記３以上の種類の生物の間の類似度をマッピングして表示する類似度画像を含む出力画像を生成することと、
前記出力画像を出力することと
を備えるデータ処理方法。
【請求項１１】
第１生物に由来する第１試料と、第２生物に由来する第２試料とにおいて共通に含まれる対象分子が、前記第１試料および前記第２試料のそれぞれの質量分析において、前記対象分子の構造から算出されたまたは過去の測定により得られた同一のｍ／ｚに対応して検出されているかに基づいて、前記第１生物と前記第２生物との間の類似度を算出し、
３以上の種類の生物から２種類の生物を選択して得られた、複数の組合せについて、それぞれ前記類似度を算出する類似度算出処理と、
前記３以上の種類の生物の間の類似度をマッピングして表示する類似度画像を含む出力画像を生成する出力画像生成処理とを処理装置に行わせるためのプログラム。
【発明の詳細な説明】
【技術分野】
【０００１】
本発明は、データ処理装置、分析装置、データ処理方法およびプログラムに関する。
【背景技術】
【０００２】
複数の種類の菌の間の類似の度合を様々な方法で算出し、わかりやすく表示するための提案がされている。非特許文献１には、複数の生物種について遺伝子の塩基配列または当該遺伝子がコードするアミノ酸配列の生物種間の相同性を示す指数を示したヒートマップが記載されている。非特許文献２には、基準株と他の生物との間の特定の遺伝子の配列相同性と、基準株と他の生物とで共通して観察されたリボソームタンパク質の割合との関係を示すグラフが記載されている。
【先行技術文献】
【非特許文献】
【０００３】
【非特許文献１】Contreras-Moreira B and Vinuesa P, "get_homologues-est manual" [online], 2018年5月16日, University of Leeds and Macquarie University, [2018年9月27日検索], インターネット（URL:http://eead-csic-compbio.github.io/get_homologues/manual-est/）
【非特許文献２】Teramoto K, Sato H, Sun L, Torimura M, Tao H, Yoshikawa H, Hotta Y, Hosoda A, Tamura H. "Phylogenetic classification of Pseudomonas putida strains by MALDI-MS using ribosomal subunit proteins as biomarkers" Anal Chem,（米国）, American Chemical Society, 2007年10月16日、Volume 79, Issue 22, pp.8712-8719
【発明の概要】
【発明が解決しようとする課題】
【０００４】
非特許文献１のように遺伝子の塩基配列または当該遺伝子がコードするタンパク質のアミノ酸配列の比較を行う場合は、各生物における遺伝子の塩基配列の情報が原則的に必要である。ここで、遺伝子のシークエンシングは、依然として手間、時間およびコストが相当程度発生する。また、塩基配列の解読ミスやアノテーションのミスの可能性を原理的に排除できない。非特許文献２の方法では、各生物と基準株との間の相同性しか分からず、各生物の間の相同性が分からないという問題があった。
【課題を解決するための手段】
【０００５】
本発明の好ましい実施形態によるデータ処理装置は、第１生物に由来する第１試料と、第２生物に由来する第２試料とにおいて共通に含まれる対象分子が、前記第１試料および前記第２試料のそれぞれの質量分析において、前記対象分子の構造から算出されたまたは過去の測定により得られた同一のｍ／ｚに対応して検出されているかに基づいて、前記第１生物と前記第２生物との間の類似度を算出し、３以上の種類の生物から２種類の生物を選択して得られた、複数の組合せについて、それぞれ前記類似度を算出する類似度算出部と、前記３以上の種類の生物の間の類似度をマッピングして表示する類似度画像を含む出力画像を生成する出力画像生成部と、前記出力画像を出力する出力部とを備える。
さらに好ましい実施形態では、前記類似度算出部は、前記対象分子の少なくとも一つが、一種類の前記対象分子に対応する複数のｍ／ｚのいずれに対応して検出されているかに基づいて、前記第１生物と前記第２生物との間の類似度を算出する。
さらに好ましい実施形態では、前記出力画像生成部は、前記類似度の値に応じて前記類似度に対応する部分の色相、明度および彩度の少なくとも一つが異なる前記類似度画像を生成する。
さらに好ましい実施形態では、前記出力画像生成部は、前記類似度画像と、前記類似度算出部による前記類似度の算出とは異なる方法で算出された前記３以上の種類の生物の間の類似度についての情報とを含む前記出力画像を生成する。
さらに好ましい実施形態では、前記情報は、前記３以上の種類の生物の系統樹である。
さらに好ましい実施形態では、前記対象分子はタンパク質であり、前記異なる方法で算出された類似度は、前記タンパク質に対応する核酸の塩基配列の相同性に基づいて算出された類似度である。
さらに好ましい実施形態では、前記対象分子は、糖鎖、脂質、タンパク質または核酸である。
さらに好ましい実施形態では、前記対象分子はタンパク質または核酸であり、前記類似度算出部は、前記質量分析において、前記対象分子のアミノ酸配列または塩基配列に基づいて導出された同一のｍ／ｚに対応して前記対象分子が検出されているかに基づいて、前記第１生物と前記第２生物との間の類似度を算出する。
本発明の好ましい実施形態による分析装置は、上述のデータ処理装置と、質量分析計とを備える。
本発明の好ましい実施形態によるデータ処理方法は、第１生物に由来する第１試料と、第２生物に由来する第２試料とにおいて共通に含まれる対象分子が、前記第１試料および前記第２試料のそれぞれの質量分析において、前記対象分子の構造から算出されたまたは過去の測定により得られた同一のｍ／ｚに対応して検出されているかに基づいて、前記第１生物と前記第２生物との間の類似度を算出し、３以上の種類の生物から２種類の生物を選択して得られた、複数の組合せについて、それぞれ前記類似度を算出することと、前記３以上の種類の生物の間の類似度をマッピングして表示する類似度画像を含む出力画像を生成することと、前記出力画像を出力することとを備える。
本発明の好ましい実施形態によるプログラムは、第１生物に由来する第１試料と、第２生物に由来する第２試料とにおいて共通に含まれる対象分子が、前記第１試料および前記第２試料のそれぞれの質量分析において、前記対象分子の構造から算出されたまたは過去の測定により得られた同一のｍ／ｚに対応して検出されているかに基づいて、前記第１生物と前記第２生物との間の類似度を算出し、３以上の種類の生物から２種類の生物を選択して得られた、複数の組合せについて、それぞれ前記類似度を算出する類似度算出処理と、前記３以上の種類の生物の間の類似度をマッピングして表示する類似度画像を含む出力画像を生成する出力画像生成処理とを処理装置に行わせるためのものである。
【発明の効果】
【０００６】
本発明によれば、迅速に、複数の生物の間の類似度を算出し、分かりやすく表示することができる。
【図面の簡単な説明】
【０００７】
【図１】図１は、一実施形態に係る分析装置の構成を示す概念図である。
【図２】図２は、３種類のアクネ菌について、各リボソームタンパク質に対応するピークが検出されたか否かを示す表（表Ａ、表Ｂおよび表Ｃ）である。
【図３】図３は、３種類のアクネ菌の間の類似度を示す画像を示す図である。
【図４】図４は、一実施形態に係る分析方法の流れを示すフローチャートである。
【図５】図５は、２３種類のアクネ菌の間の類似度を示す表と、当該アクネ菌の系統樹とを示す図である。
【図６】図６は、プログラムの提供について説明するための概念図である。
【図７】図７は、実施例で得られたアクネ菌のマススペクトルである。
【発明を実施するための形態】
【０００８】
以下、図を参照して本発明を実施するための形態について説明する。
【０００９】
−第１実施形態−
第１実施形態では、複数の試料のそれぞれを異なる複数の生物に由来する試料とし、これらの生物の間の類似度を算出し、当該類似度をマッピングして示す画像を作成するデータ処理装置を含む分析装置が説明される。
【００１０】
図１は、分析装置１の構成を示す概念図である。分析装置１は、測定部１００と、情報処理部４０とを備える。情報処理部４０は、データ処理装置を構成する。
なお、情報処理部４０の機能の一部または全部は、測定部１００とは物理的に離れた電子計算機、サーバ等に配置してもよい。
【００１１】
測定部１００は、イオン化された試料（以下、試料イオンＳと呼ぶ）をマトリックス支援レーザー脱離イオン化（以下、ＭＡＬＤＩと呼ぶ）により生成するイオン化部１０と、イオン加速部２１と、質量分離部２２と、検出部３０とを備える。イオン加速部２１は、加速電極２１０を備える。質量分離部２２０は、飛行時間型質量分析器２２０を備える。図１では、試料イオンＳの移動を矢印Ａ１で模式的に示した。
【００１２】
情報処理部４０は、入力部４１と、通信部４２と、記憶部４３と、出力部４４と、制御部５０とを備える。制御部５０は、装置制御部５１と、データ処理部５２と、出力画像生成部５３と、出力制御部５４とを備える。データ処理部５２は、マススペクトル生成部５２１と、類似度算出部５２２とを備える。測定部１００の検出部３０から出力される試料イオンＳの検出信号の流れを矢印Ａ２で模式的に示した。装置制御部５１による測定部１００の制御を矢印Ａ３で模式的に示した。
【００１３】
（試料について）
試料は、生物に由来する対象分子を含むものであれば特に限定されない。類似度をマッピングして示すため（図３参照）、３以上の生物にそれぞれ由来する３以上の試料が用意される。対象分子は、これら３以上の試料が由来する３以上の種類の生物において共通に含まれる分子から複数選択され、糖鎖、脂質、タンパク質または核酸であることが好ましい。生物は、微生物が好ましく、真正細菌がより好ましいが、対象分子を生成する生物であれば特に限定されない。
【００１４】
生物が微生物の場合、培養により得られたコロニーを回収し、コロニーを構成する菌体にマトリックスを含む溶液（以下、マトリックス溶液と呼ぶ）を加えてＭＡＬＤＩ用試料プレートに滴下して乾燥させることで試料が調製される。菌体をＭＡＬＤＩ用試料プレートに配置した後、マトリックス溶液を加えてもよい。マトリックスの種類は特に限定されないが、ＣＨＣＡ（α-cyano-4-hydroxycinnamic acid）、シナピン酸、ＤＨＢ（2,5-dihydroxybenzoic acid）、ＴＨＡＰ（2,4,6-trihydroxyacetophenone）またはＤＡＮ（1,5-diaminonaphtalene）が精度よく質量分析を行う上で好ましい。マトリックス溶液の溶媒は、アセトニトリル等の有機溶媒を数十体積％含む水溶液にトリフルオロ酢酸（TFA）が０〜３体積％添加されたもの等を用いることができる。
なお、得られたコロニーに含まれる菌体から対象分子を抽出した後、抽出物にマトリックス溶液を加えて試料を調製してもよい。微生物以外の生物から試料を調製する場合も、適宜公知の前処理法等を用いることができる。
【００１５】
測定部１００は、質量分析計を備え、試料をイオン化し、質量分離して検出する。
【００１６】
測定部１００のイオン化部１０は、ＭＡＬＤＩ用試料プレートを支持する不図示の試料プレートホルダと、ＭＡＬＤＩ用試料プレート上にレーザーを照射する不図示のレーザー装置を備えるイオン源を備え、試料にレーザーを照射してイオン化する。
なお、試料のイオン化の方法は、対象分子をイオン化することができれば特に限定されず、ＭＡＬＤＩ法以外にもエレクトロスプレー（ＥＳＩ）法等の任意のイオン化の方法を用いることができる。
【００１７】
イオン加速部２１は、加速電極２１０を備え、導入された試料イオンＳを加速させる。加速された試料イオンＳの流れは、不図示のイオンレンズ等により適宜収束されて質量分離部２２に導入される。
【００１８】
質量分離部２２は、飛行時間型質量分析器２２０を備え、それぞれの試料イオンＳが飛行時間型質量分析器２２０のフライトチューブの内部を飛行する際の飛行時間の違いより試料イオンＳを分離する。
なお、図１ではリニア型の飛行時間型質量分析器が示されているが、リフレクトロン型やマルチターン型等でもよい。試料イオンＳを分離して所望の精度で検出することができれば、質量分析の方法は特に限定されず、イオントラップや四重極マスフィルタ等の任意の質量分析器を用いることができる。
【００１９】
検出部３０は、マイクロチャンネルプレート等のイオン検出器を備え、質量分離部２２で分離された試料イオンＳを検出し、検出部３０に入射した試料イオンＳの量に応じた強度の検出信号を出力する。検出部３０から出力された検出信号は、Ａ／Ｄ変換されたのち、情報処理部４０の記憶部４３に測定データとして記憶される（矢印Ａ２）。
【００２０】
情報処理部４０の入力部４１は、マウス、キーボード、各種ボタンまたはタッチパネル等の入力装置を含んで構成される。入力部４１は、測定部１００の測定および制御部５０の処理に必要な情報等を、分析装置のユーザー（以下、単に「ユーザー」と呼ぶ）から受け付ける。情報処理部４０の通信部４２は、インターネット等の無線や有線による接続により通信可能な通信装置を含んで構成される。通信部４２は、測定部１００の測定および制御部５０の処理に必要な情報等、適宜データを送受信する。
【００２１】
情報処理部４０の記憶部４３は、不揮発性の記憶媒体を備える。記憶部４３は、測定データ、制御部５０の処理に必要なデータおよび制御部５０の処理により得られたデータ、ならびに制御部５０が処理を実行するためのプログラム等を記憶する。情報処理部４０の出力部４４は、液晶モニタ等の表示装置やプリンター等を含んで構成され、データ処理部５２で処理されたデータや出力画像生成部５３で生成された出力画像等を、表示装置に表示したり、紙媒体に印刷して出力する。
【００２２】
情報処理部４０の制御部５０は、ＣＰＵ等のプロセッサを含んで構成され、分析装置１を制御する動作の主体として機能する。制御部５０は、記憶部４３等に記憶されたプログラムを実行することにより各種処理を行う。
【００２３】
制御部５０の装置制御部５１は、入力部４１からの入力等に応じて設定された分析条件に基づいて、測定部１００の動作を制御する。
【００２４】
制御部５０のデータ処理部５２は、測定データの処理を行う。
【００２５】
データ処理部５２のマススペクトル生成部５２１は、検出部３０が検出したイオンの強度と、当該イオンの飛行時間とを含む測定データから、マススペクトルに対応するデータ（以下、マススペクトルデータと呼ぶ）を生成する。マススペクトル生成部５２１は、予め得られた較正データに基づいて飛行時間をｍ／ｚ値に換算し、各ｍ／ｚ値に対応する強度を示すマススペクトルデータを生成する。
【００２６】
データ処理部５２の類似度算出部５２２は、３以上の試料のうち、２つの試料（以下、「第１試料」および「第２試料」と呼ぶ）を質量分析して得られた２つのマススペクトルデータに基づいて、第１試料および第２試料がそれぞれ由来する第１生物と第２生物との間の類似度を算出する。第１試料および第２試料を質量分析して得られたマススペクトルを、それぞれ第１マススペクトルおよび第２マススペクトルと呼ぶ。
【００２７】
類似度算出部５２２は、記憶部４３を参照し、複数の対象分子に対応する複数のｍ／ｚの値を取得する。複数の対象分子の少なくとも一部は、類似度を算出する対象となる３以上の生物（以下、対象生物と呼ぶ）において複数の変異体（Ｖａｒｉａｎｔ）が存在する。記憶部４３には、対象分子およびその変異体を質量分析により検出する際のｍ／ｚの値が参照データとして記憶されている。これらのｍ／ｚの値は、タンパク質のアミノ酸配列等、対象分子の構造から予め算出されたものか、ユーザーや他者による過去の測定により得られたものである。
【００２８】
以下では、対象分子をタンパク質（対象タンパク質）、対象生物を同属同種の微生物の異なる複数の株とし、対象タンパク質の一部は、対象生物、すなわち株によってアミノ酸配列が異なる複数の変異体（以下、対象変異体と呼ぶ）が存在するとする。
【００２９】
記憶部４３の参照データは、以下のように構成されている。対象タンパク質が対象生物において変異体を持たない場合、対象タンパク質と当該対象タンパク質に対応するｍ／ｚの値が対応付けられて記憶されている。対象生物について、対象タンパク質の複数の対象変異体が存在する場合、対象タンパク質と各対象変異体と、当該各対象変異体に対応するｍ／ｚの値が対応付けられて記憶されている。
【００３０】
例えば、対象生物がアクネ菌Ａ、ＢおよびＣ株であり、対象タンパク質がリボソームタンパク質Ｓ１５、Ｓ１９、Ｓ０８、Ｌ０９、Ｓ１８、Ｌ２７、Ｓ１７およびＬ２３とする。このうち、アクネ菌Ａ、ＢおよびＣ株において、Ｓ１７は３種類の異なる対象変異体（以下、Ｓ１７（１）、Ｓ１７（２）およびＳ１７（３）と呼ぶ）が存在し、Ｌ２３は２種類の異なる対象変異体（以下、Ｌ２３（１）およびＬ２３（２）と呼ぶ）が存在しているものとする。これらの対象変異体は互いに検出される際のｍ／ｚが異なる。このとき、参照データでは、対象変異体が存在しないＳ１５、Ｓ１９、Ｓ０８、Ｌ０９、Ｓ１８およびＬ２７のＩＤと、これらに対応するｍ／ｚの各値とが対応付けられている。そして、対象変異体が存在するＳ１７のＩＤには、対象変異体Ｓ１７（１）、Ｓ１７（２）およびＳ１７（３）のＩＤが対応付けられており、Ｓ１７（１）、Ｓ１７（２）およびＳ１７（３）のＩＤには、これらに対応するｍ／ｚの各値が対応付けられている。Ｌ２３についてもＳ１７と同様である。
【００３１】
類似度算出部５２２は、各対象生物に由来する試料を質量分析して得られたマススぺクトルにおいて、対象タンパク質および対象変異体のｍ／ｚに対応するピークを検出する。具体的には、参照データの上記各ｍ／ｚに対し、質量分析の精度に基づいて定められるｍ／ｚのばらつきの許容範囲（許容誤差）内にピークが検出された場合、当該マススペクトルに対応する対象生物において当該ｍ／ｚに対応する対象タンパク質または対象変異体が存在するものとする。対象生物においてこのようにそれぞれの対象タンパク質または対象変異体が検出されたこと、または検出されなかったことは、二値化された値（以下、検出確認値と呼ぶ）等により記憶部４３に記憶される。
【００３２】
類似度算出部５２２は、各対象タンパク質が第１マススペクトルおよび第２マススペクトルにおいて同一のｍ／ｚに基づく許容範囲に検出されたか否かに基づいて、第１生物と第２生物との間の類似度を算出する。
【００３３】
図２は、アクネ菌Ａ（P_acnes_A）、Ｂ（P_acnes_B）およびＣ（P_acnes_C）株のそれぞれを質量分析して得られたマススぺクトルにおいて、対象タンパク質または対象変異体を検出した場合に検出確認値を１、検出しなかった場合に検出確認値を０として、各株ごとに検出確認値を表にして示した図である。図２では、２試料間の比較のため、アクネ菌Ａ株とＢ株についての検出確認値を表Ａに、Ａ株とＣ株についての検出確認値を表Ｂに、Ｂ株とＣ株についての検出確認値を表Ｃに示した。
【００３４】
表Ａに示されたように、アクネ菌Ａ株では、質量分析によりＳ１５、Ｓ１９、Ｓ０８、Ｌ０９、Ｓ１８、Ｌ２７、Ｓ１７（２）およびＬ２３（１）が検出された。アクネ菌Ｂ株では、質量分析によりＳ１５、Ｓ１９、Ｓ０８、Ｌ０９、Ｓ１８、Ｌ２７、Ｓ１７（３）およびＬ２３（２）が検出された。表Ｂに示されたように、アクネ菌Ｃ株では、質量分析によりＳ１５、Ｓ１９、Ｓ０８、Ｌ０９、Ｓ１８、Ｌ２７、Ｓ１７（１）およびＬ２３（２）が検出された。
【００３５】
類似度算出部５２２は、アクネ菌Ａ株とＢ株の類似度を、各対象タンパク質ごとに同一のｍ／ｚにより検出されるか否かに基づいて算出する。すなわち対象タンパク質に変異体がある場合は同一の変異体により検出されるか否かに基づいて当該類似度を算出する。
【００３６】
表Ａのアクネ菌Ａ株とＢ株について、Ｓ１５、Ｓ１９、Ｓ０８、Ｌ０９、Ｓ１８およびＬ２７の６つの対象タンパク質は共に検出されているが、Ｓ１７とＬ２３の２つの対象タンパク質はＡ株とＢ株で異なる変異体が検出されている。従って、類似度算出部５２２は、アクネ菌Ａ株とＢ株の間の類似度を、同一のｍ／ｚにより検出された対象タンパク質数を全対象タンパク質数で割った値、すなわち６／８＝０．７５（または７５％）と算出する。
【００３７】
同様に、表Ｂのアクネ菌Ａ株とＣ株について、Ｓ１５、Ｓ１９、Ｓ０８、Ｌ０９、Ｓ１８およびＬ２７の６つの対象タンパク質は共に検出されているが、Ｓ１７とＬ２３の２つの対象タンパク質はＡ株とＣ株で異なる変異体が検出されている。従って、類似度算出部５２２は、アクネ菌Ａ株とＣ株の間の類似度を、６／８＝０．７５（または７５％）と算出する。
【００３８】
さらに、表Ｃのアクネ菌Ｂ株とＣ株について、Ｓ１５、Ｓ１９、Ｓ０８、Ｌ０９、Ｓ１８、Ｌ２７およびＬ２３（Ｌ２３（２）が共に検出されている）の７つの対象タンパク質は共に同一のｍ／ｚに対応する分子が検出されているが、Ｓ１７の対象タンパク質はＢ株とＣ株で異なる変異体が検出されている。従って、類似度算出部５２２は、アクネ菌Ｂ株とＣ株の間の類似度を、７／８＝０．８７５（または８７．５％）と算出する。
【００３９】
類似度算出部５２２は、３以上の種類の対象生物から２つの対象生物を選択して得られた複数の組合せ（ペア）について、それぞれ上記のように類似度を算出する。全ての対象生物の組合せについて類似度を算出したら、類似度算出部５２２は、２つの対象生物と当該対象生物間の類似度とが対応付けられた類似度データを記憶部４３に記憶させる。
【００４０】
出力画像生成部５３は、類似度データに基づいて、対象生物の間の類似度をマッピングして表示する類似度画像を生成する。出力画像生成部５３は、類似度画像と、適宜分析条件等の他の情報とを含み、出力部４４から出力される出力画像を生成する。
【００４１】
図３は、類似度画像の例を示す図である。類似度画像６０は、表（以下、類似度表と呼ぶ）が示されており、類似度表では、各行および各列のそれぞれが一つの種類の対象生物に対応している。類似度表では、一つの対象生物（対象生物Ｘとする）に対応する行と、他の対象生物（対象生物Ｙ）に対応する列とに対応する要素Ｅに、対象生物ＸとＹとの間の類似度（％表示）が示されている。図３の類似度表では、アクネ菌のＡ、ＢおよびＣ株の間の類似度が示されている。例えば、アクネ菌Ａ株とＢ株との間の類似度は、アクネ菌Ａ株に対応する行（または列）における、アクネ菌Ｂ株に対応する列（または行）に対応する要素Ｅａｂ（またはＥｂａ）を参照することで得られる。類似度画像６０では、同一の生物間の類似度は、１００％として表示されている。
【００４２】
出力画像生成部５３は、類似度に応じて、類似度表における各類似度に対応する要素Ｅの色相、明度および彩度の少なくとも一つが異なるように類似度画像を生成する。図３の例では、各要素Ｅに対応する類似度の値に応じて、色相が異なる点を、各要素Ｅにおけるハッチングが異なることで模式的に示した。
【００４３】
出力制御部５４は、出力画像生成部５３が生成した出力画像を出力部４４から出力させる。分析者等は、出力部４４から出力された類似度画像等を見て、対象生物同士がどの程度類似しているかを視覚的にわかりやすく捉えることができる。
【００４４】
図４は、本実施形態に係るデータ処理方法の流れを示すフローチャートである。図２の例でも、対象生物を同属同種の微生物の異なる株（以下、対象微生物と呼ぶ）とし、対象分子をタンパク質とするが、本発明はこれらの条件に限定されない。ステップＳ１００１において、制御部５０は、対象微生物において、複数の株に同一分子または変異体として共通して発現するタンパク質を対象タンパク質、当該変異体を対象変異体として設定する。ステップＳ１００１が終了したら、ステップＳ１００３が開始される。
【００４５】
ステップＳ１００３において、記憶部４３は、対象タンパク質および変異体のｍ／ｚを取得する。ステップＳ１００３が終了したら、ステップＳ１００５が開始される。ステップＳ１００５において、対象微生物を含むｎ個（ｎは３以上）の試料が用意される。ステップＳ１００５が終了したら、ステップＳ１００７が開始される。
【００４６】
ステップＳ１００７において、測定部１００は複数の試料を質量分析し、マススペクトル生成部５２１は各試料のマススペクトルに対応するデータを生成する。ステップＳ１００７が終了したら、ステップＳ１００９が開始される。ステップＳ１００９において、類似度算出部５２２は、マススペクトルにおいてステップＳ１００３で取得したｍ／ｚに基づく範囲にピークが存在するか否かに基づいて、ｎ個の試料のうちの各ペアについて類似度を算出する。ステップＳ１００９が終了したら、ステップＳ１０１１が開始される。
【００４７】
ステップＳ１０１１において、類似度算出部５２２は、各ペアの類似度を示す、ｎ×ｎの類似度表に対応するデータを生成する。ステップＳ１０１１が終了したら、ステップＳ１０１３が開始される。ステップＳ１０１３において、出力画像生成部５３は、類似度と、当該類似度の値に応じた色とを対応付けて示す類似度画像に対応する画像データを生成する。ステップＳ１０１３が終了したら、ステップＳ１０１５が開始される。
【００４８】
ステップＳ１０１５において、出力部４４は、類似度表示画像を出力する。ステップＳ１０１５が終了したら、処理が終了される。
【００４９】
上述の実施形態によれば、次の作用効果が得られる。
（１）本実施形態に係るデータ処理装置（情報処理部４０）およびデータ処理方法では、類似度算出部５２２が、第１生物に由来する第１試料と第２生物に由来する第２試料とにおいて共通に含まれる対象分子が、第１試料および第２試料のそれぞれの質量分析において、対象分子の構造から算出されたまたは過去の測定により得られた同一のｍ／ｚに対応して検出されているかに基づいて、第１生物と第２生物との間の類似度を算出し、３以上の種類の対象生物から２種類の対象生物を選択して得られた、複数の組合せについて、それぞれ類似度を算出し、出力画像生成部５３が、３以上の種類の対象生物の間の類似度をマッピングして表示する類似度画像を含む出力画像を生成し、出力部４４が出力画像を出力する。これにより、質量分析を用いて迅速に、複数の生物の間の類似度を算出し、分かりやすく表示することができる。また、対象生物の遺伝子の塩基配列が分からなくても、過去の質量分析によりピークのｍ／ｚが得られているリボソームタンパク質等を対象分子とすることで、遺伝子のシークエンシング等を行わなくても類似度を算出することができる。さらに、マススペクトルのパターンではなく対象分子に対応するｍ／ｚ値を用いて解析を行うため、試料調製の条件や装置の機種等によるばらつきの影響を受けにくい。
【００５０】
（２）本実施形態に係るデータ処理装置において、類似度算出部５２２は、対象分子の少なくとも一つが、一種類の対象分子に対応する複数のｍ／ｚのいずれに対応して検出されているかに基づいて、対象生物の間の類似度を算出する。これにより、対象分子の変異体についての情報を利用して、正確に類似度を算出することができる。
【００５１】
（３）本実施形態に係るデータ処理装置において、出力画像生成部５３は、類似度の値に応じて類似度に対応する部分（要素Ｅ等）の色相、明度および彩度の少なくとも一つが異なる類似度画像６０を生成する。これにより、対象生物の間の類似度をさらに分かりやすく表示することができる。
【００５２】
（４）本実施形態に係るデータ処理装置において、対象分子はタンパク質であり、類似度算出部５２２は、質量分析において、対象分子のアミノ酸配列または塩基配列に基づいて導出された同一のｍ／ｚに対応して対象分子が検出されているかに基づいて、対象生物間の類似度を算出することができる。これにより、過去に得られた遺伝情報に基づいて、より正確に類似度を算出することができる。対象分子が核酸の場合でも、このような遺伝情報を用いた類似度の算出を行うことができる。
【００５３】
（５）本実施形態に係る分析装置は、本実施形態に係るデータ処理装置（情報処理部４０）と、質量分析計とを備える。これにより、質量分析を用いて迅速に、複数の生物の間の類似度を算出し、分かりやすく表示することができる。
【００５４】
次のような変形も本発明の範囲内であり、上述の実施形態と組み合わせることが可能である。以下の変形例において、上述の実施形態と同様の構造、機能を示す部位等に関しては、同一の符号で参照し、適宜説明を省略する。
（変形例１）
上述の実施形態において、出力画像生成部５３が類似度画像６０を含む出力画像を生成する際に、出力画像には、類似度画像６０に加え、対象生物の系統樹等の、類似度算出部５２２による類似度の算出とは異なる方法で算出された対象生物の間の類似度についての情報を示してもよい。
【００５５】
図５は、本変形例の出力画像８０の一例を示す図である。出力画像８０では、類似度画像６０と、系統樹画像７０とが示されている。図５の類似度画像６０には、２３種類のアクネ菌の異なる株を対象生物とした類似度が表示されている。系統樹画像７０には、当該対象生物の遺伝子の塩基配列または当該遺伝子がコードするタンパク質のアミノ酸配列に基づいた系統樹が示されている。類似度画像６０の画像部分６１には、アクネ菌の各株に対応する番号が示されている。系統樹画像７０の画像部分７１には、遺伝子座位における置換数を示すスケールバーが示されている。図５の類似度画像６０では、ハッチングを省略した。
なお、出力画像８０は、類似度画像６０と、対象生物の細胞構成成分の類似度に基づくクラスター解析結果を含む情報とを示す画像でもよい。出力画像８０は、当該画像にさらに系統樹画像７０を含んでもよい。
【００５６】
本変形例では、上述の実施形態の作用効果の他、以下の作用効果が得られる。
（１）本変形例に係るデータ処理装置において、出力画像生成部５３は、類似度画像６０と、類似度算出部５２２による類似度の算出とは異なる方法で算出された対象生物の間の類似度についての情報とを含む出力画像を生成する。これにより、複数の方法で算出された対象生物間の類似度を表示するため、対象生物間の関係についてより詳細な情報を提供することができる。
【００５７】
（２）本変形例に係るデータ処理装置において、上記異なる方法で算出された対象生物の間の類似度についての情報は、前記対象生物の系統樹である。これにより、系統樹と上述の実施形態で算出された類似度とを比較等することにより、対象生物間の関係についてさらに詳細な情報を提供することができる。
【００５８】
（３）本変形例に係るデータ処理装置において、対象分子はタンパク質であり、上記異なる方法で算出された類似度は、当該タンパク質に対応する核酸の塩基配列の相同性に基づいて算出された類似度であるとすることができる。これにより、対象タンパク質の質量分析と、遺伝子の塩基配列との異なる側面から類似度を算出することができ、対象生物間の関係についてより詳細な情報を提供することができる。
【００５９】
（変形例２）
上述の実施形態では、対象分子をタンパク質とした例を用いて説明したが、対象分子を糖鎖、脂質、色素または核酸としてもよい。対象分子を脂質とする場合、極性基の分子構造や、炭素鎖長の違いに基づいて、各対象分子を設定することができる。この場合、対象変異体としては鎖式炭化水素の炭素数等が等しいが二重結合の数や位置が互いに異なる複数の分子等とすることができる。対象分子を糖鎖とする場合、糖鎖を構成する単糖の種類、組合せ若しくは数、糖鎖の鎖長、複合糖鎖の種類または結合様式等の違いを利用して、対象分子や対象異性体を設定することができる。対象分子および対象変異体の設定の方法は、対象分子が対象生物に共通して存在し、少なくとも一部の対象分子に関する複数の対象変異体が対象生物に存在するのであれば特に限定されない。また、タンパク質、脂質、色素、糖鎖、核酸などの各細胞構成成分の少なくとも２つの分析結果を組み合わせて類似度データを生成し、当該類似度データに基づく類似度画像を生成することもできる。
【００６０】
（変形例３）
分析装置１の情報処理機能を実現するためのプログラムをコンピュータ読み取り可能な記録媒体に記録して、この記録媒体に記録された、上述したデータ処理部５２や出力画像生成部５３による処理を含む測定、データ解析および表示の処理およびそれに関連する処理の制御に関するプログラムをコンピュータシステムに読み込ませ、実行させてもよい。なお、ここでいう「コンピュータシステム」とは、ＯＳ（Ｏｐｅｒａｔｉｎｇ  Ｓｙｓｔｅｍ）や周辺機器のハードウェアを含むものとする。また、「コンピュータ読み取り可能な記録媒体」とは、フレキシブルディスク、光磁気ディスク、光ディスク、メモリカード等の可搬型記録媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【００６１】
また、パーソナルコンピュータ（以下、ＰＣと記載）等に適用する場合、上述した制御に関するプログラムは、ＣＤ−ＲＯＭ、ＤＶＤ−ＲＯＭ等の記録媒体やインターネット等のデータ信号を通じて提供することができる。図６はその様子を示す図である。ＰＣ９５０は、ＣＤ−ＲＯＭ９５３を介してプログラムの提供を受ける。また、ＰＣ９５０は通信回線９５１との接続機能を有する。コンピュータ９５２は上記プログラムを提供するサーバーコンピュータであり、ハードディスク等の記録媒体にプログラムを格納する。通信回線９５１は、インターネット、パソコン通信などの通信回線、あるいは専用通信回線などである。コンピュータ９５２はハードディスクを使用してプログラムを読み出し、通信回線９５１を介してプログラムをＰＣ９５０に送信する。すなわち、プログラムをデータ信号として搬送波により搬送して、通信回線９５１を介して送信する。このように、プログラムは、記録媒体や搬送波などの種々の形態のコンピュータ読み込み可能なコンピュータプログラム製品として供給できる。
【００６２】
上述した情報処理機能を実現するためのプログラムとして、第１生物に由来する第１試料と、第２生物に由来する第２試料とにおいて共通に含まれる対象分子が、第１試料および第２試料のそれぞれの質量分析において、対象分子の構造から算出されたまたは過去の測定により得られた同一のｍ／ｚに対応して検出されているかに基づいて、第１生物と第２生物との間の類似度を算出し、３以上の種類の生物から２種類の生物を選択して得られた、複数の組合せについて、それぞれ類似度を算出する類似度算出処理と、３以上の種類の生物の間の類似度をマッピングして表示する類似度画像６０を含む出力画像８０を生成する出力画像生成処理とを処理装置に行わせるためのプログラムが含まれる。これにより、質量分析を用いて迅速に、複数の生物の間の類似度を算出し、分かりやすく表示することができる。
【００６３】
本発明は上記実施形態の内容に限定されるものではない。本発明の技術的思想の範囲内で考えられるその他の態様も本発明の範囲内に含まれる。
【実施例】
【００６４】
以下に、本実施形態に係る実施例を示すが、本発明は下記の実施例に限定されるものではない。
【００６５】
（実施例１）
実施例１では、3種類のアクネ菌を質量分析し、8種類のリボソームタンパク質を対象分子として類似度画像を作成した。
【００６６】
皮膚常在菌のP.acnesの菌体をジルコニア製のビーズ（直径0.5 mm）を用いて破砕し、細胞質成分等を含む溶液を15000 gで5分間遠心分離した。遠心分離後の上清を公称分画分子量が100 KDaのろ過フィルターを用いてろ過し、ろ過フィルターに残った画分をリボソームを含むリボソーム画分とした。マトリックスとしてシナピン酸を用い、リボソーム画分をMALDIによりイオン化した後、飛行時間型質量分析により測定した。
【００６７】
図７は、P.acnesの一つの株（上述のアクネ菌Ａ株に対応）に由来するリボソーム画分を質量分析して得られたマススぺクトルを示す図である。図７では、ピークに対応して帰属されたリボソームタンパク質の名称を示した。これらの帰属は、リボソームタンパク質のアミノ酸配列情報に基づき、タンパク質の観測質量の理論により導出した。Ａ１０で示された範囲では、わかりやすくするため他の範囲と比べて強度値が5倍にして示されている。他の2株（上述のアクネ菌Ｂ株およびＣ株）も同様にマススペクトルを取得し、リボソームタンパク質由来のピークの帰属を行った。
【００６８】
対象分子を8種類のリボソームタンパク質Ｓ１５、Ｓ１９、Ｓ０８、Ｌ０９、Ｓ１８、Ｌ２７、Ｓ１７およびＬ２３とした。対象分子について、アミノ酸配列から求めた理論値と同じm/z値に基づく範囲（許容誤差200 ppm）にピークが観測されたら1、観測されなければ0としてこれらの数値を図２の表Ａ、表Ｂおよび表Ｃに示した。上述の実施形態で示したように、アクネ菌Ａ株とＢ株との間の類似度は0.75、アクネ菌Ａ株とＣ株との間の類似度は0.75、アクネ菌Ｂ株とＣ株との間の類似度は0.875となった。これらの値をマッピングして図３に示す類似度画像が得られた。
【００６９】
（実施例２）
P.acnesの異なる23株を実施例１と同様に質量分析し、類似度画像を作成した。また、遺伝子解析に基づいて系統樹を作成した。図５に得られた類似度画像および系統樹を示した。
【符号の説明】
【００７０】
１…分析装置、１０…イオン化部、２２…質量分離部、３０…検出部、４０…情報処理部、４３…記憶部、４４…出力部、５２…データ処理部、５３…出力画像生成部、６０…類似度画像、７０…系統樹画像、８０…出力画像、１００…測定部、５２１…マススペクトル生成部、５２２…類似度算出部、Ｅ，Ｅａｂ，Ｅｂａ…類似度表の要素、Ｓ…試料イオン。
【図１】
2020091783.tif 000003
【図２】
2020091783.tif 000004
【図３】
2020091783.tif 000005
【図４】
2020091783.tif 000006
【図５】
2020091783.tif 000007
【図６】
2020091783.tif 000008
【図７】
2020091783.tif 000009